(57)【要約】【課題】ユーザが釘間隔調製の作業中にゲージ部のゲージ幅を容易に変更して変更後のゲージ幅を維持することを可能とする遊技機用釘間隔ゲージを提供する。【解決手段】遊技機１に打ち込まれた釘１１の間隔を測定の際にユーザが握る把持部１０２と、この把持部の先端側に配設され、釘間に挿入して釘間隔を測定するゲージ部１０４と、を備える遊技機用釘間隔ゲージ１００において、ゲージ部は、把持部に対して固定されている固定部１０６と、この固定部に対して、ゲージ部の幅方向に移動可能な可動部１０８と、を備え、把持部には、固定部に対して可動部を幅方向に移動操作する可動部操作手段１１０と、ゲージ部が所望のゲージ幅になった際に可動部を固定する可動部固定手段１２６ａと、を備えることを特徴とする。【選択図】図３
2007267768.tif 000002
【特許請求の範囲】
【請求項１】
遊技機に打ち込まれた釘の間隔を測定の際にユーザが握る把持部と、該把持部の先端側に配設され、前記釘間に挿入して釘間隔を測定するゲージ部と、を備える遊技機用釘間隔ゲージにおいて、
前記ゲージ部は、前記把持部に対して固定されている固定部と、該固定部に対して、前記ゲージ部の幅方向に移動可能な可動部と、を備え、
前記把持部には、前記固定部に対して前記可動部を前記幅方向に移動操作する可動部操作手段と、前記ゲージ部が所望のゲージ幅になった際に前記可動部を固定する可動部固定手段と、
を備えることを特徴とする遊技機用釘間隔ゲージ。
【請求項２】
前記可動部固定手段は、前記可動部操作手段が前記可動部を前記固定部に対して前記幅方向に移動可能な作動状態から移動不能な非作動状態となるように切り換える切換手段により構成されることを特徴とする請求項１に記載の遊技機用釘間隔ゲージ。
【請求項３】
前記把持部または前記可動部操作手段の少なくとも何れか一方には、前記可動部の移動量に対応して前記ゲージ部のゲージ幅を表示するゲージ幅表示手段が設けられていることを特徴とする請求項１または２に記載の遊技機用釘間隔ゲージ。
【請求項４】
前記把持部には、径が前記ゲージ部のゲージ幅より大きい略筒体形状で構成されるグリップ部が設けられていることを特徴とする請求項１〜３の何れか１項に記載の遊技機用釘間隔ゲージ。
【発明の詳細な説明】
【技術分野】
【０００１】
本発明は、パチンコ機等の遊技機の遊技盤に打ち込まれる釘の間隔の調整等を行うときに使用する遊技機用釘間隔ゲージに関する。
【背景技術】
【０００２】
弾球球技機と称されるパチンコ機には、木製等の遊技盤が備わり、この遊技盤上にいわゆる役物ともよばれる中央入賞装置や各種構造を有する入賞孔等が取り付けられ、さらに多数の釘が打ち込まれている。これらの釘は、発射されたパチンコ玉の落下経路を規制するためのものであって、ある釘と他の釘との間隔の大小は、パチンコ玉の通過率に大きな影響を与える。とりわけ、上述した中央入賞装置や各入賞孔へのパチンコ玉経路に位置する釘間隔は、そのパチンコ機の出玉率を大きく左右する。従って、パチンコ遊技機の釘間調整には、細心の注意が支払われている。
【０００３】
パチンコ遊技機の釘間調整を行うにあたっては、以下のことが必要となる。まず、釘間調整の必要性の有無を知るため、現在の釘の間隔を正確に測定することが必要となる。次に、釘間調整の必要がある場合には、所望の間隔に合わせるように、正確に釘間隔を調整することが必要となる。このため、パチンコ機の釘間隔を適正値に設定するために、釘を打ち込む際には、従来から釘間隔ゲージが使用されている。
【０００４】
釘間隔ゲージは、略矩形の細長い板状のステンレス鋼をくの字状に所定角度に屈曲させることにより形成した板ゲージ部材が複数枚を１セットとして束ねられるようにして構成されている。各板ゲージ部材は、かかる屈曲を境にして、釘間隔を測定するユーザが測定作業中に握る把持部となる握り部と、釘に接触させて釘間隔を測定するためのゲージ部となる板状接触部を構成している。各板ゲージ部材の板状接触部は、例えば０．１〜０．５ｍｍ刻みでそれぞれ異なるゲージ幅を備えており、釘間隔を調整する際には、ユーザが所望のゲージ幅を備える板ゲージ部材を選んで、釘間隔を調整する釘間に板ゲージ部材の板状接触部を挿入してから、所望の釘間隔になるように金鎚等の工具を使用して釘を所望方向に叩いて屈曲させて調整する（例えば、特許文献１参照）。
【特許文献１】特開２００３−４７７０４号公報
【発明の開示】
【発明が解決しようとする課題】
【０００５】
しかしながら、上記の釘間隔ゲージは、所望の釘間隔を調整する際に、かかる釘間隔を調整可能なゲージ幅であるゲージ部を備える板ゲージ部材を複数枚から構成される板ゲージ部材の束から選び、その都度、板ゲージ部材を交換する手間を要し、ユーザにとって使い勝手が悪いものであった。このため、パチンコ機の釘間隔調整の作業効率が低下することが問題となっていた。
【０００６】
そこで、本発明は、従来の遊技機用釘間隔ゲージが有する上記問題点に鑑みてなされたものであり、本発明の目的は、ユーザが釘間隔調製の作業中にゲージ部のゲージ幅を容易に変更可能とすることにより、遊技機での釘間隔調整の作業性を向上させることの可能な、新規かつ改良された遊技機用釘間隔ゲージを提供することである。
【課題を解決するための手段】
【０００７】
上記課題を解決するために、本発明のある実施の態様によれば、遊技機に打ち込まれた釘の間隔を測定の際にユーザが握る把持部と、この把持部の先端側に配設され、釘間に挿入して釘間隔を測定するゲージ部と、を備える遊技機用釘間隔ゲージにおいて、ゲージ部は、把持部に対して固定されている固定部と、この固定部に対して、ゲージ部の幅方向に移動可能な可動部と、を備え、把持部には、固定部に対して可動部を幅方向に移動操作する可動部操作手段と、ゲージ部が所望のゲージ幅になった際に可動部を固定する可動部固定手段と、を備えることを特徴とする遊技機用釘間隔ゲージが提供される。
【０００８】
このような構成とすることにより、パチンコ機の釘間隔調製の作業中に、ユーザが把持部を握っている手指等で可動部操作手段を操作することによって、ゲージ部のゲージ幅を片手で容易に変更できる。このため、釘間隔調整に使用するゲージ部のゲージ幅を変更する際に、従来のように板ゲージ部材を交換する手間を省略できるので、遊技機の釘間隔調整の作業効率が向上する。
【０００９】
また、ゲージ部を所望のゲージ幅へ変更後に、可動部固定手段によって、かかる所望のゲージ幅が維持されるので、釘間隔調整の作業中にハンマー等で釘を打つ際の衝撃でゲージ幅が変更することを防止でき、釘間隔調整の作業における釘間隔の精度を高められる。
【００１０】
このとき、上記実施の態様において、可動部固定手段は、可動部操作手段が可動部を固定部に対して幅方向に移動可能な作動状態から移動不能な非作動状態となるように切り換える切換手段により構成されることとしてもよい。
【００１１】
このような構成とすることにより、ユーザが釘間隔調整をする際に、ゲージ部のゲージ幅を変更して、所望のゲージ幅となったら、ゲージ部の可動部を固定部に対して片手で容易に固定することができる。
【００１２】
また、このとき、上記実施の態様において、把持部または可動部操作手段の少なくとも何れか一方には、可動部の移動量に対応してゲージ部のゲージ幅を表示するゲージ幅表示手段が設けられていることとしてもよい。
【００１３】
このような構成とすることにより、ユーザがゲージ部を所望の幅に設定し易くなり、また、釘調整の作業中でもユーザが設定したゲージ幅を容易に確認できるようになる。
【００１４】
さらに、このとき、上記実施の態様において、把持部には、径がゲージ部のゲージ幅より大きい略筒体形状で構成されるグリップ部が設けられていることとしてもよい。
【００１５】
このような構成とすることにより、作業者等のユーザが釘間隔調整を行う際に、ユーザがグリップ部を握りながら把持部の先端側に有するゲージ部に所望の力をかけやすくなるので、ユーザにとって使い易い釘間隔ゲージとなって、釘間隔調整の作業効率が向上する。
【発明の効果】
【００１６】
以上説明したように本発明によれば、ユーザがパチンコ機の釘間隔調製の作業中に、遊技機用釘間隔ゲージの把持部を握っている手指等で可動部操作手段を操作することによって、ゲージ部のゲージ幅を片手で容易に変更できるので、遊技機の釘間隔調整の作業効率が向上する。
【発明を実施するための最良の形態】
【００１７】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１８】
まず、釘が打ち込まれている遊技機であるパチンコ機の概略構成について図面を使用しながら説明する。図１は、遊技機である釘を備えるパチンコ機の概略構造を示す正面図である。パチンコ機１は、木製の遊技盤３と、この遊技盤３に取り付けられる円形フレーム５と、を備えている。
【００１９】
円形フレーム５に囲まれた遊技盤３の上面には、いわゆる役物ともよばれる中央入賞装置７や各種構造を有する入賞孔９等が取り付けられ、さらに多数の釘１１が打ち込まれている。これらの釘１１は、発射されたパチンコ玉の落下経路を規制するためのものであって、ある釘１１と他の釘１１との間隔の大小は、パチンコ玉の通過率に大きな影響を与える。
【００２０】
特に、上述した中央入賞装置７や各入賞孔９へのパチンコ玉経路に位置する釘の間隔は、そのパチンコ機１の出玉率を大きく左右する。そこで、釘間隔を適正値に設定するために、以下で説明する遊技機用釘間隔ゲージ１００が使用される。
【００２１】
なお、釘１１は、図２に示すように、頭部１３と軸部１５と、両者の付根に形成された首下部１７と、を備えている。さらに、上記したパチンコ機１は、外部から供給したパチンコ玉によって遊技する形式の遊技機であるが、内部に封入したパチンコ玉を循環使用する形式のパチンコ機（いわゆる、封入式パチンコ機）をも含むものであることはいうまでもない。
【００２２】
次に、本発明の遊技機用釘間隔ゲージの第１の実施の形態の構成について、図面を使用しながら説明する。図３は、本発明の第１の実施の形態における遊技機用釘間隔ゲージの外観斜視図であり、図４は、本実施の形態の遊技機用釘間隔ゲージの外観平面図であり、図５は、本実施の形態の遊技機用釘間隔ゲージのゲージ部側からの正面図である。
【００２３】
本実施の形態における遊技機用釘間隔ゲージ１００は、図３に示すように、パチンコ機１に打ち込まれた釘１１の間隔を測定の際にユーザが握る把持部となるグリップ部１０２の先端側にパチンコ機１の釘間に挿入して、これら釘１１の間隔を測定するゲージ部１０４が配設される構成である。
【００２４】
ゲージ部１０４は、グリップ部１０２に対して固定されている固定部１０６と、この固定部１０６に対してゲージ部１０４の幅方向に移動可能な可動部１０８と、を備える構成である。この可動部１０８は、グリップ部１０２の先端側、すなわちグリップ部１０２のゲージ部側に配設される可動部操作手段となるゲージ幅操作部１１０によって、固定部１０６に対してゲージ部１０４の幅方向に移動操作される。このように、グリップ部１０２の先端側にゲージ幅操作部１１０が設けられているので、パチンコ機１の釘間隔調製の作業中に、ユーザがグリップ部１０２を握っている手指等でゲージ幅操作部１１０を操作することによって、ゲージ部１０４のゲージ幅を片手で容易に変更できる。
【００２５】
本実施の形態では、ゲージ幅操作部１１０は、回転式の操作部材である操作つまみ１１２を回転させながら操作つまみ１１２の表面側に刻印等により設けた略矢印形状の指示部１１４をグリップ部１０２の先端側に有する先端部位１０２ａに備わる操作つまみ１１２の周囲に設けたゲージ部１０４のゲージ幅を示す目盛１１６に合わせることによって、ゲージ部１０４を所望のゲージ幅に設定する構成となっている。
【００２６】
このように本実施の形態では、可動部１０８の移動量に対応してゲージ部１０４のゲージ幅を表示するゲージ幅表示手段としてグリップ部１０２の先端部位１０２ａにおける操作つまみ１１２の周囲に、可動部１０８の移動量に対応してゲージ部１０４のゲージ幅を表示するゲージ幅表示手段として、対応するゲージ幅の値が付された目盛１１６が施されている。このため、ユーザがゲージ部１０４を所望の幅に設定し易くなり、釘調整の作業中でもユーザが設定したゲージ幅を容易に確認できる。なお、ゲージ幅表示手段は、本実施の形態の態様に限定されるものでなく、例えば、操作つまみ１１２の表面側に可動部１０８の移動量に対応してゲージ部１０４のゲージ幅の値をデジタル表示する表示部を設ける構成とすることも可能である。
【００２７】
ゲージ部１０４は、固定部１０６および可動部１０８を含めて、例えば、細長い板状のステンレス鋼を略くの字状に所定角度に屈曲させることにより形成してあり、この屈曲を境にして、先端側は、釘間に挿入し易いように先端に行く程厚さが薄くなる固定部先端１０６ａおよび可動部先端１０８ａから構成される釘間接触部１０４ａとなっている。本実施の形態では、ゲージ部１０４がステンレス鋼を素材として形成されたのは、適度な硬度を備えており錆に強いことから長期の使用に耐えられる点と、膨張率が比較的小さいために使用環境により寸法に狂いが生じづらい点を考慮したためである。従って、これらの点を満足する素材であれば、ステンレス鋼以外の金属や合成樹脂等を代用することもできる。
【００２８】
上述したように、グリップ部１０２の先端側に有する先端部位１０２ａには、固定部１０６に対してゲージ部１０４の幅方向に可動部１０８を移動操作させるゲージ幅操作部１１０が設けられている。本実施の形態では、図４に示すように、可動部１０８の基端部１０８ｂがゲージ幅操作部１１０に備わる操作つまみ１１２の回動操作に連動するようにゲージ部１０４の幅方向に摺動する摺動筒部１２０と接続されている。
【００２９】
また、可動部１０８の先端部１０８ａには、図４および図５に示すように、可動支持軸１２２が可動部先端１０８ａに対して略垂直に接続されるように設けられる。一方、固定部１０６の先端部１０６ａには、可動支持軸１２２と径が略同一で可動支持軸１２２を固定部１０６の先端部１０６ａに対して収納可能な収納孔部１２５がゲージ部１０４の幅方向すなわち可動支持軸１２２と略同一方向に形成されている。このように、ゲージ部１０４の先端側に備わる釘間接触部１０４ａに、可動支持軸１２２および収納孔部１２５を設けることにより、固定部１０６に対して可動部１０８を移動させた際に、可動部１０８が固定部１０６に対してぶれることがなくなり、ゲージ部１０４のゲージ幅が安定した状態で維持されるようになる。
【００３０】
図４に示すように、可動部１０８は、可動部先端１０８ａを含めてゲージ部１０４の固定部１０６に略平行に設けられる可動ゲージ部１０８ｃと、この可動ゲージ部１０８ｃと略垂直に設けられグリップ部１０２の先端側と当接してグリップ部１０２に対して幅方向に摺動するスライドゲージ部１０８ｄと、このスライドゲージ部１０８ｄと略垂直に設けられ上述の摺動筒部１２０と接続される基端側ゲージ部（基端部）１０８ｂと、から構成される。本実施の形態では、可動部１０８は、これら可動ゲージ部１０８ｃ、スライドゲージ部１０８ｄ、および基端側ゲージ部１０８ｂが互いに略垂直の位置関係になるようにステンレス等からなる一枚の板状部材を折り曲げるようにして一体成形される構成であるが、これらの各ゲージ部１０８ｃ、１０８ｄ、１０８ｂを別体で形成したものを接着剤等の接着手段で接続して構成しても良い。
【００３１】
このように、ゲージ幅操作部１１０の操作つまみ１１２の回動操作に連動するようにゲージ部１０４の幅方向に摺動する摺動筒部１２０と接続される基端部１０８ｂとスライドゲージ部１０８ｄを介して可動ゲージ部１０８ｃが接続されているので、操作つまみ１１２の回動操作に応じて、可動部１０８が固定部１０６に対してゲージ部１０４の幅方向に移動し、ゲージ部１０４の先端側に有する釘間接触部１０４ａのゲージ幅が所望の大きさに調整される。
【００３２】
本実施の形態では、ゲージ部１０４の先端に有する釘間接触部１０４ａのゲージ幅は、一般的なパチンコ玉の直径と同じ寸法である１１．００ミリメートル以上の所望寸法に設定され、１１．００〜１５．００ミリメートルの間の値を設定可能としている。このとき、例えば、１１〜１２ミリメートルの間は、０．１ミリメートル刻みで、１２ミリメートル以上では、０．５ミリメートル刻みとなるように間隔を設定しているが、かかるゲージ幅の設定値および設定間隔は、基本的には任意である。なお、ゲージ幅操作部１１０の構成の詳細については、後述する。
【００３３】
また、本実施の形態では、ユーザが釘間隔調整の作業の際に把持する遊技機用釘間隔ゲージ１００の把持部として、径がゲージ部１０４のゲージ幅より大きい略筒体形状で構成されるグリップ部１０２が設けられている。グリップ部１０２を例えば、径２０〜３０ミリメートルとゲージ部１０４のゲージ幅より大きい径で形成し、かつグリップ部１０２の外形輪郭を例えば滑らかな曲線とすることにより、ユーザにとって握り易い形状となり、ユーザが釘間隔調整を行う際に、グリップ部１０２を握りながらグリップ部１０２の先端側に有するゲージ部１０４に所望の力をかけ易くなる。このため、ユーザにとって使い易い釘間隔ゲージとなって、釘間隔調整の作業効率が向上する。なお、本実施の形態では、グリップ部１０２は、ゲージ部１０４と一体成形で構成されているが、ゲージ部１０４がグリップ部１０２に対して固定される構成であれば良いので、別の材質を用いて別体で成形することも可能であり、また、グリップ部１０２の形状を変更したり、その部分を他の素材により構成したりすることを妨げるものではない。
【００３４】
次に、本実施の形態における遊技機用釘間隔ゲージ１００に備わるゲージ幅操作部１１０の構成について図面を使用しながら説明する。図６は、図３に示す本実施の形態における遊技機用釘間隔ゲージ１００の外観斜視図のＡ−Ａ線矢視断面図である。
【００３５】
グリップ１０２の先端部位１０２ａに設けられた操作つまみ１１２は、かかる先端部位１０２ａに形成された孔部１２４に挿通される駆動軸１２６で軸支され、この駆動軸１２６を中心に回動操作がされる。駆動軸１２６の先端には、斜面部にねじ溝が形成され、後述する可動部側傘歯車１３０と噛合する操作部側傘歯車１２８が設けられている。また、駆動軸１２６の孔部１２４と摺動する部位の一部には、合成ゴム等の弾性部材から形成される環状の係止凸部１２６ａが駆動軸１２６に周設されるようにして設けられている。一方、孔部１２４の内周面には、係止凸部１２６ａに係合するように、係止凹部１２４ａが孔部１２４の内周面に沿って環状に形成されている。係止凸部１２６ａの駆動軸１２６の径方向における外径は、孔部１２４の外面側縁部１２４ｂの外径より幾分大きいが、係止凸部１２６ａの弾性変形により、これらの外径は略同一とできる。本実施の形態では、この係止凸部１２６ａが所望のゲージ幅にゲージ部１０４を調整した際に、可動部１０８を固定する可動部固定手段となる。なお、ゲージ部１０４を所望のゲージ幅にした後に可動部１０８を固定する動作の詳細については、後述する。
【００３６】
グリップ１０２の先端部位１０２ａのゲージ幅操作部１１０が設けられた面に対する側面には、可動部１０８の基端部１０８ｂが配置され、この基端部１０８ｂには、上述したように、ゲージ部１０４の幅方向に摺動する摺動筒部１２０が略垂直に接続されている。一方、グリップ部１０２の先端部位１０２ａには、摺動筒部１２０と径が略同一で摺動筒部１２０を先端部位１０２ａに対して収納可能な摺動筒部収納孔部１３２がゲージ部１０４の幅方向すなわち摺動筒部１２０の長さ方向と略同一方向に形成されている。
【００３７】
また、摺動筒部１２０の内部には、可動部側傘歯車１３０を先端に備える可動部作動軸１３４に形成された雄ねじ部１３４ａと噛合する雌ねじ部１３６ａを内周面に形成した作動軸収納孔部１３６が設けられている。さらに、グリップ部１０２の先端部位１０２ａの内部には、操作部側傘歯車１２８と可動部側傘歯車１３０が噛合するチャンバ１３８が設けられ、かかるチャンバ１３８と摺動筒部収納孔部１３２は、先端部位１０２ａの内部で固定されて設けられる固定壁部１４０で分けられている。固定壁部１４０は、可動部側傘歯車１３０を一端に備える可動部作動軸１３４を挿通する挿通孔１４０ａが形成され、可動部作動軸１３４の可動部側傘歯車１３０と雄ねじ部１３４ａとの間の部位１３４ｂは、この挿通孔１３８ａに回動自在に枢支される。すなわち、可動部作動軸１３４は、ゲージ部１０４の幅方向においては移動しない構成となっており、固定壁部１４０に対して外れないようになっている。
【００３８】
ゲージ幅操作部１１０を上述したような構成とすることにより、操作つまみ１１２を回動させると、それに連動して駆動軸１２６を介して操作部側傘歯車１２８が回動し、それに伴って、この操作部側傘歯車１２８と噛合する可動部側傘歯車１３０が回動する。そして、この可動部側傘歯車１３０を一端に備える可動部作動軸１３４が回動することにより、可動部作動軸１３４に形成された雄ねじ部１３４ａと噛合する雌ねじ部１３６ａが形成された作動軸収納孔部１３６を備える摺動筒部１２０が摺動筒部収納孔部１３２に沿ってゲージ部１０４の幅方向に移動するようになる。この摺動筒部１２０が可動部１０８の基端部１０８ｂと接続されていることより、ゲージ幅操作部１１０の操作つまみ１１２を回動させると、可動部１０８の基端部１０８ｂがゲージ部１０４の幅方向に移動するようになる。このため、可動部１０８の基端部１０８ｂとスライドゲージ部１０８ｄを介して一体に成形されている可動部先端１０８ａが固定部先端１０６ａに対してゲージ部１０４の幅方向に移動するようになる。
【００３９】
換言すると、操作つまみ１１２を回すことにより、その回転力は、操作部側傘歯車１２８、可動部側傘歯車１３０を通じて、可動部作動軸１３４に伝達される。可動部作動軸１３４は摺動筒部１２０に回動可能に保持されているため、可動部作動軸１３４の回動に伴って、摺動筒部１２０を介して可動部１０６の基端部１０８ｂがゲージ部１０４の幅方向に移動するようになる。
【００４０】
すなわち、本実施の形態では、ゲージ幅操作部１１０の操作つまみ１１２と可動部１０８とを上述したような歯車機構を介して接続される構成とすることにより、操作つまみ１１２を回動させると、ゲージ部１０４に備わる可動部１０８が固定部１０６に対してゲージ部１０４の幅方向に移動するようになる。このため、ユーザは、釘間隔調整をする際に、グリップ部１０２を握った状態で、操作つまみ１１２を手指等で操作することにより、ゲージ部１０４を所望のゲージ幅に調節できるようなる。
【００４１】
また、上述したように、可動部作動軸１３４は、ゲージ部１０４の幅方向においては移動しない構成となっていることより、可動部側傘歯車１３０が回動しない場合は、可動部作動軸１３４が回動しないので、可動部作動軸１３４の雄ねじ部１３４ａと噛合する雌ねじ部１３６ａを備える摺動筒部１２０がゲージ部１０４の幅方向に移動せず、静止したままの状態となり、可動部作動軸１３４に対して摺動筒部１２０が固定される。また、可動部作動軸１３４の雄ねじ部１３４ａと摺動筒部１２０の雌ねじ部１３６ａが噛合していることより、可動部作動軸１３４に対して摺動筒部１２０がゲージ幅方向に移動しない状態が維持される。このため、基端部１０８ｂが摺動筒部１２０と接続されている可動部１０８も固定部１０６に対して移動せずに、固定された状態となる。
【００４２】
すなわち、ゲージ部１０４が所望のゲージ幅になって、かかるゲージ幅を保持したい場合は、ゲージ幅調整後に操作つまみ１１２をグリップ部１０２に対して外側に引っ張ることによって、操作部側傘歯車１２８が可動部側傘歯車１３０から離れる。このため、操作つまみ１１２の回動操作した際の動力が可動部側傘歯車１３０を介して可動部作動軸１３４に伝達されずに、可動部１０８が固定部１０６に対して移動せずに固定されるようになる。このように、本実施の形態では、ゲージ部１０４を所望のゲージ幅へ変更後に、かかるゲージ幅が維持される構成となっていることより、釘間隔調整の作業中にハンマー等で釘を打つ際の衝撃でゲージ部１０４のゲージ幅が変更することを防止できるので、釘間隔調整の作業における釘間隔の精度を高められる。
【００４３】
このとき、操作つまみ１１２を引っ張り、駆動軸１２６に形成した係止凸部１２６ａがグリップ部１０２の先端部位１０２ａに設けた孔部１２４の外面側縁部１２４ｂに出ると、孔部１２４を通り抜ける際に弾性変形した係止凸部１２６ａが元の非弾性の状態に戻る。このため、係止凸部１２６ａの外径が孔部１２４の外面側縁部１２４ｂの外径より大きくなり、係止凸部１２６ａが外面側縁部１２４ｂに係止されることによって、操作部側傘歯車１２８が可動部側傘歯車１３０から離れた状態を保持する。従って、本実施の形態では、ゲージ部１０４が所望のゲージ幅になった際に可動部１０８を固定部１０６に対して固定する動作は、操作つまみ１１２をグリップ部１０２の外側に引っ張り、操作部側傘歯車１２８を可動部側傘歯車１３０から離すことによって、可動部１０８を固定部１０６に対して幅方向に移動可能な作動状態から移動不能な非作動状態となるように切り換えることによって実行される。
【００４４】
なお、本実施の形態におけるゲージ幅操作部１１０の操作つまみ１１２の回動操作の動力を可動部１０８に伝達する歯車機構は、上述した本実施の形態の態様に限定されるものではない。すなわち、操作つまみ１１２を回すことによって、その回転力が各種動力伝達機構を介して可動部１０８をゲージ幅方向に移動できるように伝達される構成となっていれば、本実施の形態のような傘歯車以外にも、例えば、平板歯車等の他の歯車機構や他の動力伝達機構に代用してもよい。
【００４５】
次に、本実施の形態における遊技機用釘間隔ゲージ１００に備わるゲージ幅操作部１１０によるゲージ幅調整の動作について、図面を使用しながら説明する。図７は、本実施の形態における遊技機用釘間隔ゲージ１００に備わるゲージ幅操作部の断面を簡略して示した図であり、（ａ）はゲージ幅変更操作前におけるゲージ幅操作部の断面を示し、（ｂ）はゲージ幅変更操作中におけるゲージ幅操作部の断面を示し、（ｃ）はゲージ幅変更操作後におけるゲージ幅操作部の断面を示す。また、図８は、本実施の形態における遊技機用釘間隔ゲージ１００に備わるゲージ幅操作部を操作した際の固定部１０６に対する可動部１０４の位置を説明するためにゲージ部近傍を図７に対応させて簡略して示した平面図であり、（ａ）はゲージ幅変更操作前におけるゲージ幅操作部周辺の平面図であり、（ｂ）はゲージ幅変更操作中におけるゲージ幅操作部周辺の平面図であり、（ｃ）はゲージ幅変更操作後におけるゲージ幅操作部周辺の平面図である。
【００４６】
まず、図８（ａ）に示すように、遊技機用釘間隔ゲージ１００に備わるゲージ部１０４のゲージ幅が最小の状態では、ゲージ部１０４は、固定部１０６に対して可動部１０８が離れずに当接した閉じた状態である。このとき、可動部１０８の基端部１０８ｂに接続されている摺動筒部１２０は、図７（ａ）に示すように、グリップ部１０２の先端部位１０２ａに形成されている摺動筒部収納孔部１３２に収納された状態であり、可動部作動軸１３４は、摺動筒部１２０の内側に形成された作動軸収納孔部１３６に収納された状態である。なお、このとき、駆動軸１２６に形成された係止凸部１２６ａは、孔部１２４の内周面に形成された係止凹部１２４ａに係合している。
【００４７】
次に、ゲージ部１０４のゲージ幅を変更するために、操作つまみ１１２を回動させると、かかる操作つまみ１１２の回転力が操作部側傘歯車１２８および可動部側傘歯車１３０を通じて、可動部作動軸１３４に伝達される。可動部作動軸１３４は摺動筒部１２０に形成された作動軸収納孔部１３６を介して回動可能に保持されているため、可動部作動軸１３４の回動に伴って、図７（ｂ）に示すように、摺動筒部１２０がゲージ部１０４の幅方向に移動するようになる。このため、摺動筒部１２０と接続されている可動部基端部１０８ｂも連動してゲージ部１０４の幅方向に移動するので、図８（ｂ）に示すように、可動部１０８が全体で固定部１０６から離れる方向に移動する。このため、ゲージ部１０４のゲージ幅が拡大される。
【００４８】
その後、ゲージ部１０８のゲージ幅を所望の値に設定し終えた場合は、設定後のゲージ幅を保持するために、図７（ｃ）に示すように、操作つまみ１１２を引っ張ることによって、駆動軸１２６を介して、操作部側傘歯車１２８を可動部側傘歯車１３０から離す。このように操作つまみ１１２を引っ張ることによって、操作つまみ１１２の回動操作した際の動力が操作部側傘歯車１２８および可動部側傘歯車１３０を介して可動部作動軸１３４に伝達されずに、図８（ｃ）に示すように、可動部１０８が固定部１０６に対して移動せずに固定されるようになる。このとき、上述したように、操作つまみ１１２を引っ張ることによって係止凹部１２４ａから外れた係止凸部１２６ａが外面側縁部１２４ｂに係止されることによって、操作部側傘歯車１２８が可動部側傘歯車１３０から離れた状態を保持するようになるので、可動部１０８が固定部１０６に対して移動せずに固定されるようになる。
【００４９】
また、上述したように、可動部１０８の先端には、図８（ｂ）および（ｃ）に示すように、可動支持軸１２２が可動部１０８に対して略垂直に接続されるように設けられる。一方、固定部１０６の先端には、可動支持軸１２２と径が略同一で可動支持軸１２２を固定部１０６の先端に対して収納可能な収納孔部１２５がゲージ部１０４の幅方向、すなわち可動支持軸１２２と略同一方向に形成されている。このため、ゲージ部１０４の先端に、可動支持軸１２２および収納孔部１２５を設けることにより、固定部１０６に対して可動部１０８を移動させた際に、可動部１０８が固定部１０６に対してぶれなくなり、ゲージ部１０４のゲージ幅が安定した状態で維持されるようになる。
【００５０】
以上説明したように、本実施の形態における遊技機用釘間隔ゲージ１００に備わるゲージ幅操作部１１０を上述の構成として動作させることとにより、パチンコ機１の釘間隔調製の作業中に、ユーザがグリップ部１０２を握っている手指等で操作つまみ１１２を回動操作することによって、ゲージ部１０４のゲージ幅を片手で容易に変更できる。このため、釘間隔調整に使用するゲージ部１０４のゲージ幅を変更する際に、従来のように板ゲージ部材を交換する手間を省略できるので、釘間隔調整の作業効率が向上する。
【００５１】
また、ゲージ部１０４を所望のゲージ幅へ変更後に、操作つまみ１１２を引っ張り係止することによって、操作つまみ１１２の回動操作した際の動力が操作部側傘歯車１２８および可動部側傘歯車１３０を介して可動部作動軸１３４に伝達されなくなるので、設定した所望のゲージ幅が維持され、釘間隔調整の作業中にハンマー等で釘を打つ際の衝撃でゲージ幅が変更することを防止できるようになる。
【００５２】
次に、本実施の形態の遊技機用釘間隔ゲージ１００を用いて釘間隔調整をする動作について、図面を使用しながら説明する。図９は、本実施の形態の遊技機用釘間隔ゲージ１００を釘間に挿入する際の動作を説明する図であり、図１０は、本実施の形態の遊技機用釘間隔ゲージ１００を釘間に挿入した際のゲージ部側からの正面図である。なお、以下の説明では、釘間隔（かさ下間隔）を１１．２ミリメートルに設定する場合を想定して行う。
【００５３】
まず、釘間隔を調整する測定者等のユーザは、遊技機用釘間隔ゲージ１００のゲージ幅操作部１１０を操作しながらゲージ部１０４のゲージ幅を１１．２ミリメートルに調整する。そして、グリップ部１０２を握ってゲージ部１０４の先端側に有する釘間接触部１０４ａを遊技板３とほぼ平行となるようにして釘１１の下方領域に位置させる。
【００５４】
次に、そのままの状態で釘間隔ゲージ１００を図９の矢印Ａ１に示す方向に移動させ、釘間にゲージ部１０４の釘間接触部１０４ａを挿入する。挿入したときに、釘間接触部１０４ａの一方または両方の側部と釘１１との間に隙間がある場合には、遊技機用釘間隔ゲージ１００をユーザに対して僅かに手前方向（図９の矢印Ａ２に示す方向）に引き、図１０に示すように、釘間接触部１０４ａの上面側と釘１１の頭部１３の下面側との接触を確認する。挿入した時点で釘１１の頭部１３の下面側と接触している場合は、釘間のかさ下間隔がほぼ１１．２ミリメートルになっているわけであるから、引く必要はなく、引いても釘間接触部１０４ａは動かない。他方、釘間接触部１０４ａを釘間に挿入できない場合は、釘間隔が１１．２ミリメートルよりも狭いことになるので金鎚等の工具により釘１１を所望方向に叩いて屈曲させることにより釘間隔を広げる。または、ゲージ幅を例えば１１．０ミリメートルとゲージ幅をより狭く調整した釘間接触部１０４ａを挿入して、挿入が可能かどうか、可能であればどの程度の余裕（隙間）があるか等を確認した上で広げるようにしてもよい。
【００５５】
広げたところで再度、１１．２ミリメートルにゲージ幅を調整した釘間接触部１０４ａを上記同様の手順で釘間に挿入し、この場合も挿入可能かどうか、すなわち、間隔が充分に広がっているか、また、挿入して引くときに釘１１から受ける抵抗はどの程度か、挿入したときの隙間の大小はどの程度か、等を微妙に見極めながら釘間隔を調整する。広げすぎた場合は、釘１１を逆方向から叩いて両者の間隔を狭めることになる。調整の際に、叩いては挿入、叩いては挿入のように釘間接触部１０４ａの挿入を小刻みに行うようにすれば効率のよい釘間隔調整を行うことができる。一応の調整が終了したら、１１．２ミリメートルよりもゲージ幅の広い１１．４ミリメートルに調整した釘間接触部１０４ａを釘間に挿入して広がりすぎていないことを確認することが好ましい。
【００５６】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００５７】
すなわち、本発明の遊技機用釘間隔ゲージに備わるゲージ幅操作部の構成は、第１の実施の形態のように、操作つまみ１１２の回動操作によって、ゲージ部１０４の可動部１０８を固定部１０６に対してゲージ幅方向に移動させることによって、ゲージ幅を調整しているが、ゲージ幅操作部の構成は、かかる構成に限定されない。
【００５８】
例えば、図１１に示す遊技機用釘間隔ゲージ２００のように、ゲージ部２０４のゲージ幅を変更するゲージ幅操作部２１０をゲージ幅方向に摺動するスライダ２１２に代用することとしてもよい。このとき、グリップ部２０２の先端部位２０２ａに設けられたスライダ２１２は、ゲージ幅方向に移動するように形成された案内溝２１８に摺動自在に嵌合している。また、グリップ部２０２の先端部位２０２ａのゲージ幅操作部２１０が設けられた面に対する側面には、可動部２０８の基端部２０８ｂが配置され、この基端部２０８ｂには、ゲージ部２０４の幅方向に摺動する摺動部材２２０が略垂直に接続されている。この摺動部材２２０にスライダ２１２が貼付または一体成形されることによって、スライダ２１２の移動操作に応じて摺動部材２２０が同時にゲージ幅方向に移動するようになる。かかる構成とすることによって、可動部２０８が固定部２０６に対してゲージ幅方向に移動するので、ゲージ部２０４のゲージ幅が変更できるようになる。
【００５９】
なお、このとき、案内溝２１８の長さ方向に対する両側の何れかには、スライダ２１２の長さ方向に対する側部に設けられた係止凸部２１２ａと係合する係止凹部２１８ａが設けられ、ゲージ部２０４が所望のゲージ幅になった際に可動部２０８をゲージ幅方向に移動させないように固定する可動部固定手段となる。また、可動部２０６の移動量に対応してゲージ部２０４のゲージ幅を表示するゲージ幅表示手段として、係止凹部２１８ａに対応するように、先端部位２０２ａには目盛２１６が設けられている。
【００６０】
また、第１の実施の形態と同様に、可動部２０８の先端部２０８ａには、図１１に示すように、可動支持軸２２２が可動部先端２０８ａに対して略垂直に接続されるように設けられる。一方、固定部２０６の先端部２０６ａには、可動支持軸２２２と径が略同一で可動支持軸２２２を固定部２０６の先端部２０６ａに対して収納可能な収納孔部２２４がゲージ部２０４の幅方向すなわち可動支持軸２２２と略同一方向に形成されている。このように、ゲージ部２０４の先端側に備わる釘間接触部２０４ａに、可動支持軸２２２および収納孔部２２４を設けることにより、第１の実施の形態と同様に、固定部２０６に対して可動部２０８を移動させた際に、可動部２０８が固定部２０６に対してぶれることがなくなり、ゲージ部２０４のゲージ幅が安定した状態で維持されるようになる。
【図面の簡単な説明】
【００６１】
【図１】遊技機である釘を備えるパチンコ機の概略構造を示す正面図である。
【図２】遊技機に設けられる釘の頭部周辺の拡大図である。
【図３】本発明の第１の実施の形態における遊技機用釘間隔ゲージの外観斜視図である。
【図４】同実施の形態の遊技機用釘間隔ゲージの外観平面図である。
【図５】同実施の形態の遊技機用釘間隔ゲージのゲージ部側からの正面図である。
【図６】図３に示す同実施の形態における遊技機用釘間隔ゲージの外観斜視図のＡ−Ａ線矢視断面図である。
【図７】同実施の形態における遊技機用釘間隔ゲージに備わるゲージ幅操作部の断面を簡略して示した図であり、（ａ）はゲージ幅変更操作前におけるゲージ幅操作部の断面を示し、（ｂ）はゲージ幅変更操作中におけるゲージ幅操作部の断面を示し、（ｃ）はゲージ幅変更操作後におけるゲージ幅操作部の断面を示す。
【図８】同実施の形態における遊技機用釘間隔ゲージに備わるゲージ幅操作部を操作した際の固定部に対する可動部の位置を説明するためにゲージ部周辺を図７に対応させて簡略して示した平面図であり、（ａ）はゲージ幅変更操作前におけるゲージ幅操作部周辺の平面図であり、（ｂ）はゲージ幅変更操作中におけるゲージ幅操作部周辺の平面図であり、（ｃ）はゲージ幅変更操作後におけるゲージ幅操作部周辺の平面図である。
【図９】同実施の形態の遊技機用釘間隔ゲージを釘間に挿入する際の動作を説明する図である。
【図１０】同実施の形態の遊技機用釘間隔ゲージを釘間に挿入した際のゲージ部側からの正面図である。
【図１１】同実施の形態における遊技機用釘間隔ゲージに備わるゲージ幅操作部の変形例を示す外観平面図である。
【符号の説明】
【００６２】
１          遊技機（パチンコ機）
１１        釘
１００      遊技機用釘間隔ゲージ
１０２      グリップ
１０４      ゲージ部
１０６      固定部
１０８      可動部
１１０      可動部操作手段（ゲージ幅操作部）
１１２      可動部操作手段（操作つまみ）
１１４      ゲージ幅表示手段（指示部）
１１６      ゲージ幅表示手段（目盛）
１２６      切換手段（駆動軸）
１２６ａ    可動部固定手段（凸部）
【図１】
2007267768.tif 000003
【図２】
2007267768.tif 000004
【図３】
2007267768.tif 000005
【図４】
2007267768.tif 000006
【図５】
2007267768.tif 000007
【図６】
2007267768.tif 000008
【図７】
2007267768.tif 000009
【図８】
2007267768.tif 000010
【図９】
2007267768.tif 000011
【図１０】
2007267768.tif 000012
【図１１】
2007267768.tif 000013